(57)【要約】【課題】おむつをおむつカップに固定する際に、粘着テープから剥離紙を剥がし、粘着面が意図していない場所に貼り付いてしまわないように、かつ、おむつカップの貼り付け対象位置に正確に貼り付けられるように注意しながら作業を進める作業者の負担を軽減できることが望ましい。【解決手段】本発明の第１の態様によれば、自動排泄処理装置に接続されたおむつカップに対して、使用者の股間に対応する部位に排泄物穴を有するおむつを押し付けることによっておむつをおむつカップに固定する固定具を提供する。【選択図】図３
2016137205.tif 000002
【特許請求の範囲】
【請求項１】
自動排泄処理装置に接続されたおむつカップに対して、使用者の股間に対応する部位に排泄物穴を有するおむつを押し付けることによって前記おむつを前記おむつカップに固定する固定具。
【請求項２】
前記固定具は、復元力によって前記おむつを前記おむつカップに押し付ける、請求項１に記載の固定具。
【請求項３】
前記おむつカップは、
前記排泄物穴からの排泄物を受ける受け皿部と、
前記受け皿部の一端から立ち上がり、前記使用者の排尿を受けて前記受け皿部に導く立ち上がり部と
を有し、
前記固定具は、前記受け皿部の内側面に前記おむつを押し付けることによって前記おむつを固定する、請求項１又は２に記載の固定具。
【請求項４】
前記受け皿部は通風口を有し、
前記固定具は、前記通風口に対応する部位に切欠を有する、請求項３に記載の固定具。
【請求項５】
前記受け皿部の内側面に前記おむつを押し付ける皿固定部と、
前記立ち上がり部の内側面に前記おむつを押し付ける立ち上がり固定部と
を備える、請求項３又は４に記載の固定具。
【請求項６】
前記皿固定部の深さ方向の長さは、前記受け皿部の深さ方向の長さよりも短い、請求項５に記載の固定具。
【請求項７】
前記皿固定部及び前記立ち上がり固定部は脱着可能である、請求項５又は６に記載の固定具。
【請求項８】
前記固定具は、前記おむつと接触する部位に形成された孔及び溝の少なくとも何れかを備える、請求項１から７のいずれか一項に記載の固定具。
【請求項９】
請求項１から８のいずれか一項に記載の固定具と、
前記おむつカップと
を備える自動排泄処理システム。
【請求項１０】
前記自動排泄処理装置をさらに備える、請求項９に記載の自動排泄処理システム。
【発明の詳細な説明】
【技術分野】
【０００１】
本発明は、固定具及び自動排泄処理システムに関する。
【背景技術】
【０００２】
自動排泄処理装置に接続されたおむつカップに、使用者の股間に対応する部位に排泄物穴を有するおむつを固定する手法として、おむつに付された粘着テープによる固定が知られていた（例えば、特許文献１参照）。
［先行技術文献］
［特許文献］
［特許文献１］特開２００６−１４１５９０号公報
【発明の概要】
【発明が解決しようとする課題】
【０００３】
おむつをおむつカップに固定する際に、粘着テープから剥離紙を剥がし、粘着面が意図していない場所に貼り付いてしまわないように、かつ、おむつカップの貼り付け対象位置に正確に貼り付けられるように注意しながら作業を進める作業者の負担を軽減できることが望ましい。
【課題を解決するための手段】
【０００４】
本発明の第１の態様によれば、自動排泄処理装置に接続されたおむつカップに対して、使用者の股間に対応する部位に排泄物穴を有するおむつを押し付けることによっておむつをおむつカップに固定する固定具が提供される。
【０００５】
上記固定具は、復元力によっておむつをおむつカップに押し付けてよい。上記おむつカップは、排泄物穴からの排泄物を受ける受け皿部と、受け皿部の一端から立ち上がり、使用者の排尿を受けて受け皿部に導く立ち上がり部とを有してよく、上記固定具は、受け皿部の内側面におむつを押し付けることによっておむつを固定してよい。上記受け皿部は通風口を有してよく、上記固定具は、通風口に対応する部位に切欠を有してよい。
【０００６】
上記固定具は、受け皿部の内側面におむつを押し付ける皿固定部と、立ち上がり部の内側面におむつを押し付ける立ち上がり固定部とを備えてよい。上記固定具において、皿固定部の深さ方向の長さは、受け皿部の深さ方向の長さよりも短くてよい。上記固定具において、皿固定部及び立ち上がり固定部は脱着可能であってよい。上記固定具は、おむつと接触する部位に形成された孔及び溝の少なくともいずれかを備えてよい。
【０００７】
本発明の第２の態様によれば、自動排泄処理装置に接続されたおむつカップに対して、使用者の股間に対応する部位に排泄物穴を有するおむつを押し付けることによっておむつをおむつカップに固定する固定具と、おむつカップとを備える自動排泄処理システムが提供される。上記自動排泄処理システムは、自動排泄処理装置をさらに備えてもよい。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】自動排泄処理システムの一例を概略的に示す。
【図２】おむつカップの一例を概略的に示す。
【図３】受け皿部の一例を概略的に示す。
【図４】固定具の使用例を概略的に示す。
【図５】固定具の構造の一例を概略的に示す。
【図６】固定具の一例を概略的に示す。
【図７】固定具の一例を概略的に示す。
【図８】固定具の一例を概略的に示す。
【図９】固定具の一例を概略的に示す。
【図１０】固定具の一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。以下、図面を参照して、実施形態について説明するが、図面の記載において、同一または類似の部分には同一の参照番号を付して重複する説明を省く場合がある。なお、図面は模式的なものであり、厚みと平面寸法との関係、比率等は現実のものとは異なってよい。
【００１１】
図１は、自動排泄処理システム１０の一例を概略的に示す。自動排泄処理システム１０は、自動排泄処理装置５０に接続されたおむつカップ１００と、おむつカップ１００に固定されるおむつ８０とを備える。自動排泄処理システム１０は、さらに自動排泄処理装置５０を含んでもよい。
【００１２】
おむつ８０は、使用者２０の股間に対応する部位に排泄物穴を有し、使用者２０の股間に着用される。使用者２０は、例えば、ベッドなどに寝たきりの被介護者である。
【００１３】
おむつカップ１００は、可撓性の配管５２を介して自動排泄処理装置５０に接続される。おむつカップ１００は、おむつ８０の排泄物穴から使用者２０の排泄物を受ける。おむつカップ１００が受けた排泄物は、配管５２を介して自動排泄処理装置５０によって吸引される。
【００１４】
自動排泄処理装置５０は、配管５２を介しておむつカップ１００に温水等の洗浄液を供給してよい。また、自動排泄処理装置５０は、配管５２を介しておむつカップ１００に温風を供給してよい。
【００１５】
例えば、自動排泄処理装置５０は、おむつカップ１００が排泄物を受けたことを検出した場合に、おむつカップ１００に対する洗浄液の供給と、おむつカップ１００からの洗浄液及び排泄物の吸引とを実行する。そして、自動排泄処理装置５０は、排泄物の吸引を終えた後、温風をおむつカップ１００に供給する。これにより、使用者２０の股間を清潔な状態に保つことができる。
【００１６】
おむつ８０は、通気性とクッション性を提供する。また、おむつ８０は、排泄物及び洗浄液の漏れを防止する。おむつ８０の排泄物が付着する可能性がある部位には、防水加工が施されてよい。
【００１７】
おむつ８０は、例えば、１日に１回等の頻度で交換されることが望ましいが、おむつカップ１００に対するおむつ８０の固定に手間がかかってしまうと、おむつ８０を交換する作業者の負担が大きくなってしまう。本実施形態に係る自動排泄処理システム１０では、おむつカップ１００に対しておむつ８０を容易に固定できる仕組みを提供する。
【００１８】
図２は、おむつカップ１００の一例を概略的に示す。おむつカップ１００は、受け皿部１１０、立ち上がり部１２０及び臀部支持部１３０を有する。
【００１９】
受け皿部１１０は、おむつ８０の排泄物穴からの排泄物を受ける。立ち上がり部１２０は、受け皿部１１０の一端から立ち上がり、使用者２０の排尿を受けて受け皿部１１０に導く。臀部支持部１３０は、受け皿部１１０の他端側に配置され、使用者２０の臀部を支持する。
【００２０】
受け皿部１１０及び立ち上がり部１２０は、洗浄液供給ポート１４２及び排泄ポート１４４を有する。洗浄液供給ポート１４２は、自動排泄処理装置５０から、おむつカップ１００に対して洗浄液を供給するためのポートである。排泄ポート１４４は、自動排泄処理装置５０が、おむつカップ１００から、使用者２０の排泄物及び洗浄液を吸引するためのポートである。
【００２１】
図２では、洗浄液供給ポート１４２が立ち上がり部１２０の中央に配置され、排泄ポート１４４が受け皿部１１０の一端に配置された場合を例示しているが、洗浄液供給ポート１４２及び排泄ポート１４４の配置はこれに限らず、他の位置に配置されてもよい。
【００２２】
図３は、受け皿部１１０の一例を概略的に示す。受け皿部１１０は、排便センサ１１２、排尿センサ１１４及び通風口１１６を有する。
【００２３】
排便センサ１１２は、使用者２０の排便を検知する。排便センサ１１２は、例えば、赤外線感知センサであり、赤外線の反射光の変化によって排便を検知する。排尿センサ１１４は、使用者２０の排尿を検知する。排尿センサ１１４は、例えば、ショート感知センサであり、２対の金属棒状の電極間で発生する抵抗値の変化により排尿の有無を検知する。
【００２４】
通風口１１６は、配管５２に接続されてよく、配管５２を介して自動排泄処理装置５０から供給された温風が、通風口１１６を経由して、おむつカップ１００の内部空間に供給される。
【００２５】
図４は、固定具２００の使用例を概略的に示す。固定具２００は、皿固定部２１０及び立ち上がり固定部２２０を有する。皿固定部２１０は、受け皿部１１０の内側面におむつ８０を押し付けることによって、おむつ８０をおむつカップ１００に固定する。皿固定部２１０は、受け皿部１１０の内側の縁部におむつ８０を押し付けてよい。
【００２６】
立ち上がり固定部２２０は、立ち上がり部１２０の内側面におむつ８０を押し付けることによって、おむつ８０をおむつカップ１００に固定する。立ち上がり固定部２２０は、立ち上がり部１２０の内側の縁部におむつ８０を押し付けてよい。
【００２７】
固定具２００は、復元力によって、おむつ８０をおむつカップ１００に押し付けてよい。復元力は、変形された状態から元の状態に戻ろうとする力であってよい。
【００２８】
例えば、皿固定部２１０及び立ち上がり固定部２２０が、おむつ８０をおむつカップ１００に固定する作業者によって変形され、受け皿部１１０及び立ち上がり部１２０に対して嵌め込まれた後に開放される。これにより、皿固定部２１０及び立ち上がり固定部２２０が、収縮された状態から元の状態に戻ろうとする復元力によって、おむつ８０を受け皿部１１０及び立ち上がり部１２０に対して押し付けることができる。
【００２９】
おむつ８０は、排泄物穴８２と、排泄物穴８２へと垂れ下がる垂下部８４とを有してよい。そして、皿固定部２１０は、垂下部８４を受け皿部１１０の内側面に押し付けてよい。また、立ち上がり固定部２２０は、垂下部８４を立ち上がり部１２０の内側面に押し付けてよい。
【００３０】
本実施形態に係る固定具２００によれば、固定具２００を受け皿部１１０及び立ち上がり部１２０に対して嵌め込むという作業によって、おむつ８０をおむつカップ１００に固定することができ、粘着テープなどを用いた固定手法に比べて、作業者の作業負担を軽減することができる。
【００３１】
皿固定部２１０は、受け皿部１１０の通風口１１６に対応する部位に切欠２１２を有してよい。これにより、固定具２００をおむつカップ１００に嵌め込んだ際に、固定具２００が通風口１１６を塞いでしまうことを防止できる。
【００３２】
また、皿固定部２１０は、皿固定部２１０を受け皿部１１０に嵌め込んだときに、皿固定部２１０の一部が通風口１１６を塞いでしまうことを防止する脚部２１４を備えてよい。脚部２１４は、皿固定部２１０が受け皿部１１０に嵌め込まれていく過程において、皿固定部２１０の一部が通風口１１６を塞いでしまう前に、受け皿部１１０の底に到達する長さを有してよい。これにより、皿固定部２１０の一部が通風口１１６を塞いでしまうことを確実に防止することができる。
【００３３】
立ち上がり固定部２２０は、洗浄液供給ポート１４２及び排泄ポート１４４に対応する部位に孔部２２２を有してよい。これにより、固定具２００をおむつカップ１００に嵌め込んだ際に、固定具２００が洗浄液供給ポート１４２及び排泄ポート１４４を塞いでしまうことを防止できる。
【００３４】
また、皿固定部２１０の深さ方向の長さは、受け皿部１１０の深さ方向の長さよりも短くてよい。これにより、固定具２００をおむつカップ１００に嵌め込んだときに、固定具２００がおむつカップ１００から突出してしまうことを防止できる。固定具２００がおむつカップ１００から突出すると、使用者２０に不快感を与えたり、使用者２０の身体を損傷したりしてしまう可能性を向上させることになるが、本実施形態に係る固定具２００によれば、これを防止することができる。
【００３５】
固定具２００の材質として、プラスチックを例示でき、例えば、ポリプロピレン、ポリエチレン、ポリカーボネート及びアクリル樹脂等が用いられてよい。材質をプラスチックにすることによって、固定具２００の製造を容易にすることができる。また、排泄物及び洗浄液等による腐食を防止できる。また、固定具２００の材質として、ステンレスを例示できる。材質をステンレスにすることによって、固定具２００に高い強度を与えることができ、また、排泄物及び洗浄液などによる腐食を防止できる。また、固定具２００の材質は、シリコンゴム等であってもよい。また、固定具２００には、テフロン（登録商標）加工及びフッ素加工等が施されてもよい。
【００３６】
図５は、固定具２００の構造の一例を概略的に示す。図５に示す通り、皿固定部２１０及び立ち上がり固定部２２０は、脱着可能であってよい。
【００３７】
皿固定部２１０は爪受部２１８を有してよく、立ち上がり固定部２２０は爪部２２８を有してよい。皿固定部２１０及び立ち上がり固定部２２０は、爪受部２１８及び爪部２２８によって、互いに固定されてよい。皿固定部２１０及び立ち上がり固定部２２０を脱着可能とすることによって、固定具２００の製造工程を簡略化することができる。
【００３８】
また、皿固定部２１０及び立ち上がり固定部２２０を脱着可能とすることによって、皿固定部２１０のみの使用を可能とすることもできる。使用者２０が男性である場合、立ち上がり固定部２２０が男性器に接触することによって不快感を覚える使用者２０がいる。この場合、皿固定部２１０のみを使用する方が望ましい。
【００３９】
図５に示す固定具２００によれば、皿固定部２１０と立ち上がり固定部２２０とが脱着可能であることから、例えば、皿固定部２１０及び立ち上がり固定部２２０が連結された状態で使用した結果、使用者２０が不快感を覚えるようであれば、皿固定部２１０と立ち上がり固定部２２０との連結を解除することによって、容易に皿固定部２１０のみの使用に切り替えることができる。
【００４０】
なお、ここでは、皿固定部２１０及び立ち上がり固定部２２０が脱着可能である場合について説明したが、固定具２００は、皿固定部２１０及び立ち上がり固定部２２０のうち、皿固定部２１０のみにより構成されてもよい。そのような固定具２００の例として、固定具３００及び固定具４００を例に挙げて説明する。
【００４１】
図６は、固定具３００の一例を概略的に示す。固定具３００は、受け皿部１１０の内側面におむつ８０を押し付けることによって、おむつ８０をおむつカップ１００に固定する。おむつ８０は、固定具３００のみによっておむつカップ１００に固定されてよい。また、おむつ８０は、受け皿部１１０に対する固定具３００による固定と、立ち上がり部１２０に対する粘着テープ等による固定とによって、おむつカップ１００に固定されてもよい。
【００４２】
固定具３００は、受け皿部１１０の通風口１１６に対応する部位に切欠３０２を有する。また、固定具３００は、おむつ８０と接触する部位に孔３０４を有する。孔３０４は、固定具３００のおむつ８０と接触する面に設けられてよい。固定具３００が孔３０４を有することにより、固定具３００に対しておむつ８０がずれてしまうことを防止できる。すなわち、孔３０４が滑り止めの役割を果たす。また、孔３０４が、通気性を向上させるとともに、固定具３００の軽量化に貢献する。
【００４３】
図７は、固定具４００の一例を概略的に示す。固定具４００は、受け皿部１１０の内側面におむつ８０を押し付けることによって、おむつ８０をおむつカップ１００に固定する。おむつ８０は、固定具４００のみによっておむつカップ１００に固定されてよい。また、おむつ８０は、受け皿部１１０に対する固定具４００による固定と、立ち上がり部１２０に対する粘着テープ等による固定とによって、おむつカップ１００に固定されてもよい。
【００４４】
固定具４００は、受け皿部１１０の通風口１１６に対応する部位に切欠４０２を有する。また、固定具４００は、おむつ８０と接触する部位に溝４０４を有する。溝４０４は、固定具４００のおむつ８０と接触する面に設けられてよく、固定具４００の横方向に伸びてよい。固定具４００が溝４０４を有することにより、固定具４００に対しておむつ８０がずれてしまうことを防止できる。すなわち、溝４０４が滑り止めの役割を果たす。また、さらに、溝４０４が、通気性を向上させるとともに、固定具４００の軽量化に貢献する。
【００４５】
なお、ここでは、孔３０４を有する固定具３００と、溝４０４を有する固定具４００とを例示したが、本実施形態に係る固定具は、孔３０４と溝４０４との両方を有してもよい。
【００４６】
図８及び図９は、固定具２００の変形例である固定具５００の一例を概略的に示す。固定具５００は、固定具２００と形状が異なる。固定具５００は、皿固定部５１０及び立ち上がり固定部５２０を有する。皿固定部５１０と立ち上がり固定部５２０とは一体として形成される。
【００４７】
固定具５００は、図９に示すような平面形状で形成されてよい。そして、平面形状の固定具５００が湾曲されて、固定具５００の両端に位置する第１連結部５３２及び第２連結部５３４が重ね合わされて、リベット５３８によって締結されることにより、立体形状の固定具５００が構成されてよい。リベット５３８としては、例えば、ナイロンリベットが用いられる。
【００４８】
図１０は、固定具２００の変形例である固定具６００の一例を概略的に示す。固定具６００は、固定具２００と形状が異なる。固定具６００は、皿固定部６１０及び立ち上がり固定部６２０を有する。皿固定部６１０と立ち上がり固定部６２０とは一体として形成される。
【００４９】
固定具６００は、平面形状で形成されてよく、平面形状の固定具６００が湾曲されて、固定具６００の両端に位置する第１連結部６３２と、第２連結部６３４とがロックされることによって、立体形状の固定具６００が構成される。第１連結部６３２及び第２連結部６３４は、爪ロック方式等の任意のロック方式によって連結可能であってよい。
【００５０】
本実施形態に係る固定具は、様々な形状のおむつカップのそれぞれに適合した形状を有してよい。様々な形状のおむつカップのそれぞれに適合した形状とは、おむつカップに対しておむつと固定具とを嵌め込んだときに、固定具によっておむつがおむつカップに押し付けられる形状である。これにより、様々な形状のおむつカップのそれぞれに対して、おむつを容易に固定させることができる。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５２】
特許請求の範囲、明細書、および図面中において示した装置、システム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５３】
１０  自動排泄処理システム、２０  使用者、５０  自動排泄処理装置、５２  配管、８０  おむつ、８２  排泄物穴、８４  垂下部、１００  おむつカップ、１１０  受け皿部、１１２  排便センサ、１１４  排尿センサ、１１６  通風口、１２０  立ち上がり部、１３０  臀部支持部、１４２  洗浄液供給ポート、１４４  排泄ポート、２００  固定具、２１０  皿固定部、２１２  切欠、２１８  爪受部、２２０  立ち上がり固定部、２２２  孔部、２２８  爪部、３００  固定具、３０２  切欠、３０４  孔、４００  固定具、４０２  切欠、４０４  溝、５００  固定具、５１０  皿固定部、５２０  立ち上がり固定部、５３２  第１連結部、５３４  第２連結部、５３８  リベット、６００  固定具、６１０  皿固定部、６２０  立ち上がり固定部
【図１】
2016137205.tif 000003
【図３】
2016137205.tif 000004
【図２】
2016137205.tif 000005
【図４】
2016137205.tif 000006
【図５】
2016137205.tif 000007
【図６】
2016137205.tif 000008
【図７】
2016137205.tif 000009
【図８】
2016137205.tif 000010
【図９】
2016137205.tif 000011
【図１０】
2016137205.tif 000012